(57)【要約】【課題】安定した情報処理を実施可能なディスクカメラレコーダを提供する。【解決手段】ディスクカメラレコーダは、光ディスクＤに所定の情報処理動作を実施する光ピックアップ２２０と、光ピックアップ２２０の移動方向と同一方向に移動可能に設けられるカウンターウェイト２４２と、カウンターウェイト２４２を光ピックアップ２２０の移動に連動させて、光ピックアップ２２０の移動方向と逆方向に移動させるカウンター部２４０と、を具備した。【選択図】図２
2008165893.tif 000002
【特許請求の範囲】
【請求項１】
記録媒体を保持する保持手段に保持された前記記録媒体に記録された情報を読み込む読込処理および前記記録媒体に情報を書き込む書込処理のうち少なくともいずれか一方の処理を実施する情報処理部を備えるとともに、前記記録媒体に対して所定方向に相対移動可能に設けられる移動部と、
前記移動部の移動方向と略同一方向に移動可能に設けられる錘部と、
前記移動部および前記錘部を連結して、前記錘部を前記移動部の移動方向と反対方向に移動させる連結部と、
を具備したことを特徴とした記録媒体駆動装置。
【請求項２】
請求項１に記載の記録媒体駆動装置であって、
前記錘部は、前記移動部と略同一質量を有する
ことを特徴とした記録媒体駆動装置。
【請求項３】
請求項１または請求項２に記載の記録媒体駆動装置であって、
前記移動部および前記錘部は、それぞれ互いに略平行する軸部材に沿って移動可能に設けられた
ことを特徴とした記録媒体駆動装置。
【請求項４】
請求項１ないし請求項３のいずれかに記載の記録媒体駆動装置であって、
前記記録媒体はディスク状に形成され、
前記移動部は、前記保持手段に保持された前記記録媒体の径方向に沿って移動可能に設けられた
ことを特徴とした記録媒体駆動装置。
【請求項５】
請求項１ないし請求項４のいずれかに記載の記録媒体駆動装置であって、
前記連結部は、前記移動部の移動方向に沿って略線状に設けられるとともに、前記移動部の一部が固定される第一線部と、前記錘部の移動方向に沿って略線状に設けられるとともに、前記錘部の一部が固定される第二線部と、前記第一線部および前記第二線部を連結するとともに、前記移動部および前記錘部の間に設けられる支持部の外周面に沿って配設される略線状の連結線部と、を有するワイヤである
ことを特徴とした記録媒体駆動装置。
【請求項６】
請求項５に記載の記録媒体駆動装置であって、
前記ワイヤは、前記第一線部および前記第二線部の両端部が前記連結線部で連結される略環状に形成されるとともに、前記第一線部の中間部に前記移動部が固定され、前記第二線部の中間部に前記錘部が固定される
ことを特徴とした記録媒体駆動装置。
【請求項７】
請求項５または請求項６に記載の記録媒体駆動装置であって、
前記連結部は、前記移動部および前記錘部の間に設けられるとともに、前記移動部および前記錘部の双方の移動経路を含む面に対して略直交する軸を中心として回転可能に設けられる回転体を備え、
前記連結線部は、前記回転体の周面の一部に沿って設けられた
ことを特徴とした記録媒体駆動装置。
【請求項８】
請求項７に記載の記録媒体駆動装置であって、
前記回転体は、前記軸を中心軸とする略円筒状に形成された
ことを特徴とした記録媒体駆動装置。
【請求項９】
請求項１ないし請求項４のいずれかに記載の記録媒体駆動装置であって、
前記移動部および前記錘部は、それぞれ互いに対向する面にラックを備え、
前記連結部は、前記移動部および前記錘部の前記ラックに係合するピニオンである
ことを特徴とした記録媒体駆動装置。
【請求項１０】
請求項１ないし請求項４のいずれかに記載の記録媒体駆動装置であって、
前記連結部は、前記移動部および前記錘部の間に設けられるとともに、一端側が前記移動部に連結され、他端側が前記錘部に連結され、略中央位置が前記移動部および前記錘部の双方の移動経路を含む面内で回動可能に支持される梃子部材である
ことを特徴とした記録媒体駆動装置。
【請求項１１】
請求項１ないし請求項１０のいずれかに記載の記録媒体駆動装置であって、
電圧印加手段から所定の駆動電圧を印加されることで前記移動部を所定方向に移動させるとともに、前記情報処理部にて前記処理が実施されている状態で、前記電圧印加手段からの電圧印加が停止される駆動手段を備えた
ことを特徴とした記録媒体駆動装置。
【請求項１２】
請求項１１に記載の記録媒体駆動装置であって、
前記駆動手段は、所定の駆動パルス電圧により駆動させるステッピングモータである
ことを特徴とした記録媒体駆動装置。
【請求項１３】
ディスク状の記録媒体を保持する保持手段と、
前記保持手段に保持された前記記録媒体に記録された情報を読み込む読込処理および前記記録媒体に情報を書き込む書込処理のうち少なくともいずれか一方の処理を実施する情報処理部と、
請求項１ないし請求項１２のいずれかに記載の記録媒体駆動装置と、
を具備したことを特徴としたディスク装置。
【請求項１４】
レンズを有する撮像部と、
この撮像部にて取得した撮像データを前記記録媒体に記録する請求項１３に記載のディスク装置と、
を具備したことを特徴とした撮像装置。
【発明の詳細な説明】
【技術分野】
【０００１】
本発明は、記録媒体を所定の処理を実施する記録媒体駆動装置、ディスク装置、および撮像装置に関する。
【背景技術】
【０００２】
従来、所定位置に保持された記録媒体に対して相対的に移動可能に設けられ、記録媒体に対して所定の処理を実施するピックアップ機構を有する記録媒体処理装置が知られている（例えば、特許文献１参照）。
【０００３】
この特許文献１に記載のものは、ディスクを載置して一定速度で回転駆動させるターンテーブルと、ディスクにレーザ光を射出するとともに、反射光を受光して所定の処理を実施するピックアップと、ディスクからの反射光に基づいてフォーカスエラー信号、トラッキングエラー信号を生成するＲＦアンプと、データを蓄積するバッファメモリと、振動や衝撃を検出するＧセンサなどを備えたディスク装置である。このディスク装置では、ＲＦアンプからフォーカスエラー信号、トラッキングエラー信号が出力されたり、Ｇセンサで振動や衝撃を検出したりすると、システムコントローラに対して割込信号を出力する。そして、ピックアップからのレーザ光の出力、およびバッファメモリの読出しを停止し、バッファメモリのオーバーフローが検出されると、バッファメモリに記録されたデータの一部に選択的にオーバーフロー発生後の情報を上書きする処理を実施する構成が採られている。
【０００４】
【特許文献１】特開平２００２−２９８４９６号公報
【発明の開示】
【発明が解決しようとする課題】
【０００５】
ところで、近年、ディスク装置のピックアップを移動させる機構として、移動精度が良好なステッピングモータを用いる構成が知られている。また、ディスク装置の省電力化などのために、ピックアップ移動時以外では、ステッピングモータへの電圧印加が停止することが一般的である。しかしながら、上記特許文献１のような従来の構成で、ピックアップの移動にステッピングモータを用いた場合、ステッピングモータへの電力供給が停止されているため、振動や衝撃が加わった際に、衝撃などによりピックアップが所定の書き込み位置から移動してしまうおそれがある。このようにピックアップが移動してしまうと、次にディスクに所定の情報処理を実施する際に、ピックアップを元の位置に移動させる復帰動作が必要となり、この復帰動作時に動作音などが発生したり、復帰までの時間がかかったりして、安定した情報処理が実施できないという問題が一例として挙げられる。
【０００６】
本発明は、上記問題に鑑みて、安定した情報処理を実施可能な記録媒体駆動装置、ディスク装置、および撮像装置を提供することを1つの目的とする。
【課題を解決するための手段】
【０００７】
請求項１に記載の発明は、記録媒体を保持する保持手段に保持された前記記録媒体に記録された情報を読み込む読込処理および前記記録媒体に情報を書き込む書込処理のうち少なくともいずれか一方の処理を実施する情報処理部を備えるとともに、前記記録媒体に対して所定方向に相対移動可能に設けられる移動部と、前記移動部の移動方向と略同一方向に移動可能に設けられる錘部と、前記移動部および前記錘部を連結して、前記錘部を前記移動部の移動方向と反対方向に移動させる連結部と、を具備したことを特徴とした記録媒体駆動装置である。
【０００８】
請求項１３に記載の発明は、ディスク状の記録媒体を保持する保持手段と、前記保持手段に保持された前記記録媒体に記録された情報を読み込む読込処理および前記記録媒体に情報を書き込む書込処理のうち少なくともいずれか一方の処理を実施する情報処理部と、請求項１ないし請求項１２のいずれかに記載の記録媒体駆動装置と、を具備したことを特徴としたディスク装置である。
【０００９】
請求項１４に記載の発明は、レンズを有する撮像部と、この撮像部にて取得した撮像データを前記記録媒体に記録する請求項１３に記載のディスク装置と、を具備したことを特徴とした撮像装置である。
【発明を実施するための最良の形態】
【００１０】
以下、本発明に係る一実施の形態に係る撮像装置としてのディスクカメラレコーダを図面に基づいて説明する。
図１は、本発明の一実施の形態に係るディスクカメラレコーダの概略を示す斜視図である。図２は、第一の実施の形態におけるディスク処理部の内部構成の一部を示す平面図である。
【００１１】
〔ディスクカメラレコーダの構成〕
図１において、１は、本発明の一実施の形態に係る撮像装置としてのディスクカメラレコーダであり、このディスクカメラレコーダ１は、動画情報、音声情報、画像情報などの各種情報を録画して記録媒体としての光ディスクＤに記録したり、光ディスクＤに記録された各種情報を再生したりする装置である。このディスクカメラレコーダ１に利用できる光ディスクＤとしては、例えばＣＤ(Compact Disc)、ＤＶＤ(Digital Versatile Disc)、ＢＤ(Blu-ray Disc)などの各種ディスク状記録媒体が利用できる。
このディスクカメラレコーダ１は、外部ケース１１と、撮影レンズ１２と、撮影窓１３と、記録媒体駆動装置としてのディスク処理部２０と、外部ケース１１の内部に設けられる図示しない制御回路部と、図示しないコントローラ部と、図示しない小型ディスプレイと、などを備えている。
【００１２】
外部ケース１１は、内部空間を有する箱状に形成されている。この外部ケース１１の各面には、それぞれ内部と外部とを連通する窓部が形成され、この窓部に臨んで前述した撮影レンズ１２、撮影窓１３、コントローラ部およびディスク処理部２０が設けられている。
【００１３】
撮影レンズ１２は、外部ケース１１の前面の窓部に臨んで設けられている。この撮影レンズ１２は、外部の画像光を取り込む。ここで取り込まれた画像光は、図示しない画像変換処理部にて画像信号に変換され、外部ケース１１内部の制御回路部に入力される。
【００１４】
撮影窓１３は、外部ケース１１の背面の窓部に臨んで設けられている。この撮影窓１３は、例えば光学的に撮影レンズ１２に接続されており、この撮影窓１３から撮影レンズ１２に取り込まれる外部画像を確認することが可能となる。
【００１５】
コントローラ部は、例えば外部ケース１１の天面、背面、および側面に配置される複数の操作ボタンを備えている。これらの操作ボタンはそれぞれ外部ケース１１内部の制御回路部に電気的に接続されており、これらの操作ボタンを操作することで所定の操作信号を制御回路部に出力する。
【００１６】
小型ディスプレイは、外部ケース１１のディスク処理部２０が設けられた側面とは反対側面に、外部ケース１１に対して回動可能に設けられている。この小型ディスプレイは、外部ケース１１内部の制御回路部に電気的に接続され、制御回路部から出力される各種画像情報を表示させる。
【００１７】
ディスク処理部２０は、外部ケース１１の一側面に設けられている。このディスク処理部２０は、外部ケース１１の一側面から突出開口するディスク設置部２１に設置されている。また、ディスク処理部２０の外装部には、カバー２２が設けられ、このカバー２２には、ディスク処理部２０の内部に光ディスクＤを挿入可能なスリット２２Ａが設けられている。ディスク処理部２０の内部における詳細な説明は後述する。
【００１８】
制御回路部は、ディスクカメラレコーダ１全体の動作を制御する。この制御回路部は、ディスクカメラレコーダ１の全体的な動作を制御する各種処理を実施する。
具体的には、制御回路部は、例えば各種電気部品が搭載された回路基板に回路構成として構成されている。そして、制御回路部は、例えば、画像変換部における撮影レンズ１２から取り込まれた画像光を画像信号に変換する処理、小型ディスプレイから画像情報を出力させる処理、画像信号を光ディスクＤに記録する処置などを実施する各種プログラムを備えている。
【００１９】
〔ディスク処理部の構成〕
次に、ディスク処理部２０の内部構成について、図２に基づいて説明する。
ディスク処理部２０は、着脱可能に装着されるディスク状記録媒体としての円板状の光ディスクＤにおける少なくとも一面に設けられた図示しない記録面に記録された情報を読み出す情報処理である読取処理、および記録面へ各種情報を記録する情報処理である記録処理を実施する。
そして、ディスク処理部２０は、スリット２２Ａから挿入された光ディスクを搬送する図示しない搬送部と、スリット２２Ａから挿入された光ディスクＤを回転可能に保持して、所定の情報処理を実施するディスク処理機構２００と、などを備えている。
【００２０】
搬送部は、開口部を介してケース体の内外に光ディスクＤを搬送する。この搬送部は、例えば制御回路部に接続され、開口部に光ディスクＤの一部が挿入されたことを検出すると、例えば図示しないローラが回転して光ディスクＤをケース体内にディスク処理機構２００にて処理可能な位置まで搬送する。
また、搬送部は、例えばイジェクトボタンの操作など、ケース体内に装着されている光ディスクＤの排出を要求する旨の信号を制御回路部が認識すると、この制御回路部の制御によりディスク処理機構２００に処理可能に保持されている光ディスクＤを例えば図示しないローラの回転により開口部を介してケース体外へ搬送する。
【００２１】
ディスク処理機構２００は、図２に示すように、台座部２０１を有している。これら台座部２０１は、回動可能にケース体内に配設されている。そして、台座部２０１には、回転可能に支持された回転子とともに回転駆動手段２１０が配設されている。
【００２２】
回転駆動手段２１０は、台座部２０１に配設された図示しないスピンドルモータと、このスピンドルモータの出力軸に一体的に設けられた図２に示す保持手段としてのターンテーブル２１１と、を備えている。
スピンドルモータは、制御回路部に制御可能に接続され、制御回路部から供給される電力により駆動する。このスピンドルモータは、最高回転数が例えば４５００ｒｐｍ〜５６００ｒｐｍで、制御回路部により、任意の回転数で回転可能に制御されている。
ターンテーブル２１１は、光ディスクＤの中心に開口形成された図示しない軸孔に嵌挿して軸支する軸支部である略円柱状の回転軸２１１Ａと、この回転軸２１１Ａの外周面にフランジ状に突設され光ディスクＤの軸孔の周縁が載置されて支持する鍔部２１１Ｂと、を備えている。そして、ターンテーブル２１１は、台座部２０１が回動されることで、光ディスクＤを挾持する。この挾持された光ディスクＤは、スピンドルモータの駆動により回転するターンテーブル２１１および挾持する回転子とともに回転される。
【００２３】
また、台座部２０１には、情報処理部としての光ピックアップ２２０を移動させる移動手段２３０が配設されている。この移動手段２３０は、一対の軸部材としてのガイドシャフト２３１および駆動手段としてのステッピングモータ２３２を備えている。
そして、一対のガイドシャフト２３１は、例えば金属製の細長棒状に形成され、台座部２０１に略平行に配設されている。
また、ステッピングモータ２３２は、制御回路部に制御可能に接続され、制御回路部から供給される電力により駆動する。そして、ステッピングモータ２３２の図示しない出力軸には、例えば金属製の細長棒状のリードスクリュ２３２Ａが同軸上に一体に連結されている。このリードスクリュ２３２Ａの外周面には、螺旋状に係合溝２３２Ｂが設けられている。
また、このステッピングモータ２３２は、光ピックアップ２２０にて光ディスクＤに所定の情報処理操作が実施されている状態では、制御回路部からの電力供給が停止される。これにより、光ピックアップ２２０を移動させない状態では、ステッピングモータ２３２に印加させる電圧がセーブされ省電力化が促進される。
【００２４】
そして、一対のガイドシャフト２３１には、光ピックアップ２２０が移動可能に支持されている。光ピックアップ２２０は、一対のガイドシャフト２３１間に架橋する状態で保持される保持部２２１を備えている。
この保持部２２１には、移動手段２３０のリードスクリュ２３２Ａの係合溝２３２Ｂに係合する移動規制爪部２２１Ｂが設けられている。そして、光ピックアップ２２０は、保持部２２１に配設された、図示しない光源と、この光源からの光を光ディスクＤに照射させる対物レンズ２２２Ａを有する図示しない複数の光学素子と、光ディスクＤから反射された光を検出する図示しない光センサなどを有している。この光ピックアップ２２０は、制御回路部に信号を送受信可能に接続され、制御回路部の制御により、光ディスクＤの記録面に記録された各種情報を読み取って制御回路部へ出力する読取処理や、制御回路部からの各種情報を記録面に記録する記録処理を実施する。
【００２５】
さらに、一方の台座部２０１には、衝撃による光ピックアップ２２０の移動を防止するカウンター部２４０が設けられている。このカウンター部２４０は、軸部材としてのカウンターシャフト２４１と、錘部としてのカウンターウェイト２４２と、連結部を構成するワイヤ保持部２４３と、連結部を構成するワイヤとしてのワイヤケーブル２４４と、などを備えている。
【００２６】
カウンターシャフト２４１は、例えば金属性の細長棒状に形成され、ガイドシャフト２３１と略平行に台座部２０１に配設されている。
【００２７】
カウンターウェイト２４２は、光ピックアップ２２０と略同一質量を有する錘部材であり、カウンターシャフト２４１に移動可能に支持されている。具体的には、カウンターウェイト２４２は、例えば図示しない押え部材とによりカウンターシャフト２４１を挟持し、例えば螺子などで押え部材をカウンターシャフト２４１に固定することで、カウンターシャフト２４１に支持されている。なお、カウンターウェイト２４２にカウンターシャフト２４１の軸径と略同一、もしくは僅かに大きい径寸法の貫通孔を設け、この貫通孔にカウンターシャフト２４１を挿通させるなどの構成としてもよい。
また、カウンターウェイト２４２は、ワイヤケーブル２４４を固定する固定部材２４２Ａを備えている。この固定部材２４２Ａは、カウンターウェイト２４２の例えば一面にねじ止めなどにより固定可能に設けられている。そして、この固定部材２４２Ａとカウンターウェイト２４２の一面との間に後述のワイヤケーブル２４４を挟み込み、固定部材２４２Ａをカウンターウェイト２４２にねじ止めすることでワイヤケーブル２４４がカウンターウェイト２４２に固定される。
【００２８】
ワイヤ保持部２４３は、一対のガイドシャフト２３１のうち、リードスクリュ２３２Ａに近接するガイドシャフト２３１のターンテーブル２１１側端部近傍に配置される連結部を構成する回転体としての第一プーリ２４３Ａ、このガイドシャフト２３１のターンテーブル２１１から離隔する側の端部近傍に配置される連結部を構成する回転体としての第二プーリ２４３Ｂ、カウンターシャフト２４１のターンテーブル２１１側端部近傍に配置される連結部を構成する回転体としての第三プーリ２４３Ｃ、およびカウンターシャフト２４１のターンテーブル２１１から離隔する側の端部近傍に配置される連結部を構成する回転体としての第四プーリ２４３Ｄを備えている。これらの第一ないし第四プーリ２４３Ａ，２４３Ｂ，２４３Ｃ，２４３Ｄは、略円筒状に形成され、中心軸が一方の台座部２０１に回転可能に支持されている。また、これら第一ないし第四プーリ２４３Ａ，２４３Ｂ，２４３Ｃ，２４３Ｄは、外周面がガイドシャフト２３１およびカウンターシャフト２４１により挟まれる領域内に位置するように、それぞれ配設されている。
【００２９】
ワイヤケーブル２４４は、第一ないし第四プーリ２４３Ａ，２４３Ｂ，２４３Ｃ，２４３Ｄの外周面に沿って略環状に配設され、光ピックアップ２２０とカウンターウェイト２４２とを連結している。
【００３０】
具体的には、ワイヤケーブル２４４は、例えば一本の金属製線状部材にて形成されている。このワイヤケーブル２４４は、両端部にそれぞれねじ挿通孔を有する固定具２４４Ａが取り付けられ、これらの固定具２４４Ａのうち一方が保持部２２１のターンテーブル２１１側の端縁におけるガイドシャフト２３１と対向する一部に例えばねじ止めなどにより固定され、他方が保持部２２１のターンテーブル２１１から離隔する側の端縁におけるガイドシャフト２３１と対向する一部に例えばねじ止めなどにより固定されている。
【００３１】
そして、ワイヤケーブル２４４は、第一ないし第四プーリ２４３Ａ，２４３Ｂ，２４３Ｃ，２４３Ｄの外周縁に沿って略環状に配設され、第三プーリ２４３Ｃおよび第四プーリ２４３Ｄの間において、前記したように固定部材２４２Ａによりカウンターウェイト２４２が固定される。この際、ワイヤケーブル２４４は、光ピックアップ２２０およびカウンターウェイト２４２がそれぞれの移動可能範囲における略中央位置に移動された状態（光ピックアップ２２０とカウンターウェイト２４２とが互いに対向する位置に移動した状態）でカウンターウェイト２４２が固定される。
ここで、第一プーリ２４３Ａおよび第二プーリ２４３Ｂ間にガイドシャフト２３１に沿って配置され、光ピックアップ２２０が固定されるワイヤケーブル２４４の一部が本発明の第一線部を構成し、第三プーリ２４３Ｃおよび第四プーリ２４３Ｄ間にカウンターシャフト２４１に沿って配置され、カウンターウェイト２４２が固定されるワイヤケーブル２４４の一部が本発明の第二線部を構成し、第一プーリ２４３Ａおよび第三プーリ２４３Ｃ間、第二プーリ２４３Ｂおよび第四プーリ２４３Ｄ間に沿って配置されるワイヤケーブル２４４の一部が本発明の連結線部を構成する。なお、保持部２２１のターンテーブル２１１に近接する端縁に固定される固定具２４４Ａから第一プーリ２４３Ａ側に延出し、第一プーリ２４３Ａおよび第三プーリ２４３Ｃの外周縁を経てカウンターウェイト２４２に固定されるワイヤケーブル２４４の一部を、以降、第一ワイヤ部２４４Ｂと称し、保持部２２１のターンテーブル２１１から離隔する端縁に固定される固定具２４４Ａから第二プーリ２４３Ｂ側に延出し、第二プーリ２４３Ｂおよび第四プーリ２４３Ｄの外周縁を経てカウンターウェイト２４２に固定されるワイヤケーブル２４４の一部を、以降、第二ワイヤ部２４４Ｃと称する。
【００３２】
このようなカウンター部２４０では、光ピックアップ２２０が例えばガイドシャフト２３１に沿ってターンテーブル２１１側に移動すると、第二ワイヤ部２４４Ｃが光ピックアップ２２０の移動方向に引っ張られるため、カウンターウェイト２４２は、カウンターシャフト２４１に沿って、ターンテーブル２１１から離隔する側に移動する。また、光ピックアップ２２０が、例えばガイドシャフト２３１に沿ってターンテーブル２１１から離隔する側に移動すると、第一ワイヤ部２４４Ｂが光ピックアップ２２０の移動方向に引っ張られるため、カウンターウェイト２４２は、カウンターシャフト２４１に沿って、ターンテーブル２１１に近接する側に移動する。
【００３３】
〔ディスクカメラレコーダの動作〕
次に、上記ディスクカメラレコーダ１の動作における衝撃時のピックアップ静止動作について図面に基づいて説明する。図３は、第一の実施の形態のディスク処理機構に作用する衝撃およびワイヤケーブルの張力を模式的に示す図である。
【００３４】
まず、ディスクカメラレコーダ１の電源の投入により、ディスクカメラレコーダ１に電力が供給される。そして、ディスクカメラレコーダ１のスリット２２Ａから光ディスクＤが挿入されると、制御回路部は搬送部を制御して光ディスクＤをディスク処理部２０内部に搬入し、ターンテーブル２１１上に保持させる。
【００３５】
この後、制御回路部は、例えば利用者によりコントロール部が操作されるなどして、光ディスクＤに撮影レンズ１２から取り込んで画像信号に変換された画像情報などを記録する記録要求信号、光ディスクＤから所定の情報を読み込んで小型ディスプレイに表示させる再生要求信号が設定入力されると、ディスク処理機構２００に情報処理動作を実施させる。
具体的には、制御回路部は、回転駆動手段２１０を制御して、光ディスクＤを所定回転速度で回転させる。また、制御回路部は、ステッピングモータ２３２に所定の駆動パルス電圧を印加して、光ディスクDの記録面における情報処理の対象アドレス位置に対物レンズ２２２Ａが対向する状態に、光ピックアップ２２０を移動させる制御をする。
また、制御回路部は、対物レンズ２２２Ａから所定の光が射出され、光ディスクDに情報を書き込む書込み処理および光ディスクDの情報を読み込む読込処理のうち少なくともいずれか一方の情報処理操作が実施されている状態で、ステッピングモータ２３２への電圧印加を停止させる制御をする。
【００３６】
この状態で、例えばディスクカメラレコーダ１が外部からの衝撃を受けるなどすると、光ピックアップ２２０に所定方向に力が作用する。この時、カウンターウェイト２４２も同様に、所定方向に力が作用し、ワイヤケーブル２４４に所定の張力が発生するため、光ピックアップ２２０の位置ずれが防止される。
【００３７】
例えば、外部衝撃により、ディスク処理機構２００に図３に示すような矢印Ａの応力が作用すると、ステッピングモータ２３２が停止状態であるため、光ピックアップ２２０をターンテーブル２１１側に移動させようとする応力が発生する。一方、カウンターウェイト２４２にも、同様に、光ピックアップ２２０が受ける応力と同一の大きさで同じ方向の応力が作用する。ここで、光ピックアップ２２０とカウンターウェイト２４２の質量が同一であるため、第二ワイヤ部２４４Ｃが光ピックアップ２２０に引っ張られる張力Ｂおよび第二ワイヤ部２４４Ｃカウンターウェイト２４２に引っ張られる張力Ｂが同一となる。したがって、第二ワイヤ部２４４Ｃに作用する光ピックアップ２２０に作用する張力Ｂと、カウンターウェイト２４２に作用する張力とが釣り合うため、光ピックアップ２２０およびカウンターウェイト２４２が移動しない。
同様に、光ピックアップ２２０にターンテーブル２１１から離隔する方向に衝撃による応力が加わった場合でも、第一ワイヤ部２４４Ｂにおいて、光ピックアップ２２０に作用する張力と、カウンターウェイト２４２に作用する張力とが釣り合うため、光ピックアップ２２０およびカウンターウェイト２４２が移動しない。
【００３８】
〔ディスクカメラレコーダの作用効果〕
上述したように、上記第一の実施の形態のディスクカメラレコーダ１では、ディスクＤに所定の情報処理動作を実施する光ピックアップ２２０と、光ピックアップ２２０の移動方向と同一方向に移動可能に設けられるカウンターウェイト２４２と、を備え、カウンター部２４０にて、カウンターウェイト２４２を光ピックアップ２２０の移動に連動させて、光ピックアップ２２０の移動方向と逆方向に移動させている。
このため、ディスクカメラレコーダ１に衝撃が加わった場合、カウンター部２４０には、光ピックアップ２２０およびカウンターウェイト２４２に加えられる衝撃による応力に抗する力が作用し、光ピックアップ２２０およびカウンターウェイト２４２の移動を規制できる。したがって、ステッピングモータ２３２の制御やソフトウェアでの制御などを用いる必要がなく、簡単な構成で光ピックアップ２２０の位置ずれを防止することができ、光ピックアップ２２０による光ディスクＤの情報処理動作を安定して実施させることができる。
【００３９】
また、光ピックアップ２２０およびカウンターウェイト２４２が、略同一質量に形成されている。
このため、衝撃を受けた際に、光ピックアップ２２０からワイヤケーブル２４４に作用する張力と、カウンターウェイト２４２からワイヤケーブル２４４に作用する張力とが同一大きさとなって釣り合うため、光ピックアップ２２０およびカウンターウェイト２４２の移動をより確実に防止できる。したがって、より効果的に光ピックアップ２２０の位置ずれを防止することができ、安定した情報処理を実施することができる。
【００４０】
さらに、光ピックアップ２２０およびカウンターウェイト２４２は、それぞれ、互いに平行するガイドシャフト２３１およびカウンターシャフト２４１に沿って移動可能に設けられている。
このため、ディスクカメラレコーダ１に光ピックアップ２２０の移動方向と交差する方向の衝撃が加わった場合に、衝撃に対する光ピックアップ２２０およびカウンターウェイト２４２の位置ずれが防止できる。
【００４１】
そして、カウンター部２４０は、第一ワイヤ部２４４Ｂおよび第二ワイヤ部２４４Ｃにより光ピックアップ２２０およびカウンターウェイト２４２を連結している。
このため、ディスクカメラレコーダ１に衝撃が加わり、光ピックアップ２２０およびカウンターウェイト２４２に所定の応力が作用したとしても、第一ワイヤ部２４４Ｂまたは第二ワイヤ部２４４Ｃにて発生する張力が釣り合うため、これら光ピックアップ２２０およびカウンターウェイト２４２の移動を規制できる。したがって、ワイヤケーブル２４４にて光ピックアップ２２０およびカウンターウェイト２４２を連結するだけの簡単な構成で、容易に光ピックアップ２２０の位置ずれを防止することができる。
【００４２】
また、光ピックアップ２２０は、第一プーリ２４３Ａおよび第二プーリ２４３Ｂの中間位置で固定され、カウンターウェイト２４２は、第三プーリ２４３Ｃおよび第四プーリ２４３Ｄの中間位置で固定されている。すなわち、光ピックアップ２２０およびカウンターウェイト２４２は、第一ワイヤ部２４４Ｂおよび第二ワイヤ部２４４Ｃにより連結されている。このため、光ピックアップ２２０がターンテーブル２１１に近接する方向に衝撃を受けた場合には、第二ワイヤ部２４４Ｃにてその衝撃による応力に抗することができ、光ピックアップ２２０がターンテーブル２１１から離隔する方向に衝撃を受けた場合には、第一ワイヤ部２４４Ｂにてその衝撃による応力に抗することができる。したがって、光ピックアップ２２０の移動方向におけるいかなる方向に衝撃力が加わったとしても、ワイヤケーブル２４４により位置ずれを防止することができる。
【００４３】
さらに、ガイドシャフト２３１およびカウンターシャフト２４１の両端部近傍には、それぞれ台座部２０１に回転可能に軸支される第一ないし第四プーリ２４３Ａ，２４３Ｂ，２４３Ｃ，２４３Ｄが設けられており、ワイヤケーブル２４４は、これらの第一ないし第四プーリ２４３Ａ，２４３Ｂ，２４３Ｃ，２４３Ｄの周面に沿って略環状となるように配置されている。
このため、移動手段２３０の制御により光ピックアップ２２０を所定方向に移動させた際に、これら第一ないし第四プーリ２４３Ａ，２４３Ｂ，２４３Ｃ，２４３Ｄが回転してワイヤケーブル２４４を送り出すことができる。したがって、ワイヤケーブル２４４とワイヤ保持部２４３との間に摩擦力が発生せず、スムーズに光ピックアップ２２０を移動させることができ、安定した情報処理動作を補佐することができる。
また、第一ないし第四プーリ２４３Ａ，２４３Ｂ，２４３Ｃ，２４３Ｄは、それぞれ、略円筒状に形成され、この円筒周面に沿ってワイヤケーブル２４４が配設されている。
このため、第一ないし第四プーリ２４３Ａ，２４３Ｂ，２４３Ｃ，２４３Ｄの回転によりワイヤケーブル２４４をよりスムーズに送り出すことができる。
【００４４】
さらに、ステッピングモータ２３２は、光ピックアップ２２０にて光ディスクＤに所定の情報処理動作を実施している状態では、制御回路部からの電圧印加が停止されている。
このため、光ピックアップ２２０を移動させない状態では、ステッピングモータ２３２へ供給する電力が停止される。特に、ディスクカメラレコーダ１のような、ディスク処理部２０を備えた携帯型電気機器では、一般にバッテリにより電力を供給するため、電力の供給量が限られるが、このような場合でも、上記のように光ピックアップ２２０の非移動時では、ステッピングモータ２３２の電力供給が停止されるため、省電力化を促進することができ、バッテリを長時間持続させることができる。また、このように、省電力化のためにステッピングモータ２３２への電力供給を停止させる構成では、ホールディングトルクが発生しないため、衝撃により光ピックアップ２２０が移動しやすい状態となるが、上記のように、光ピックアップ２２０の移動方向と逆方向に移動するカウンターウェイト２４２を光ピックアップ２２０に連結させることで、衝撃による光ピックアップ２２０の位置ずれを効果的に防止することができる。
【００４５】
〔他の実施の形態〕
なお、本発明は、上述した各実施の形態に限定されるものではなく、本発明の目的を達成できる範囲で以下に示される変形をも含むものである。
【００４６】
例えば、上記実施の形態では、撮像手段にて撮像した撮像画像などを、光ディスクＤに記録し、光ディスクＤに記録された情報を再生するディスクカメラレコーダ１を例示したが、これに限られず、情報の読み出しあるいは記録のみでもよい。
【００４７】
また、ディスクカメラレコーダ１に限られず、例えばノート型パーソナルコンピュータなどに搭載可能な薄型ディスクドライブ装置や、デスクトップ型パーソナルコンピュータに搭載されるディスクドライブ装置、車両などに搭載されるディスク装置、携帯型ＣＤ再生装置や、ＤＶＤ再生装置、ゲーム機や映像データの録画などの記録や再生のための処理をする再生装置などの単体の構成などに適用されるものであってもよい。
【００４８】
さらに、記録媒体として、光ディスクＤに限らず、磁気ディスク、光磁気ディスクなどのいずれのディスク状記録媒体を対象とすることができ、さらには、これらのディスクがカートリッジなどに格納されたカートリッジタイプのディスクにも適用することができる。
【００４９】
さらには、スリット２２Ａから光ディスクＤを挿入する、いわゆるスロットインタイプのディスク処理部２０を示したが、例えばトレイに一体的に光ピックアップ２２０が配設されるディスク処理機構２００に適用されてもよい。
そして、上記実施の形態では、一本の線状部材のワイヤケーブル２４４の両端に固定具２４４Ａを取り付け、この固定具２４４Ａを光ピックアップ２２０の保持部２２１に固定する構成としたが、これに限らない。
例えば、両端部にそれぞれ固定具２４４Ａが取り付けられた２本のワイヤケーブルを用い、一方を第一ワイヤ部２４４Ｂとし、他方を第二ワイヤ部２４４Ｃとして、それぞれ光ピックアップ２２０およびカウンターウェイト２４２に固定する構成としてもよい。さらには、略環状のワイヤケーブルを用いる構成としてもよい。この場合、上述した固定部材２４２Ａによるワイヤケーブル２４４のカウンターウェイト２４２への固定と同様に、光ピックアップ２２０の保持部２２１に固定部材を用いてワイヤケーブルを固定してもよい。
【００５０】
また、台座部２０１に回転可能に軸支された第一ないし第四プーリ２４３Ａ〜２４３Ｄの周面にワイヤケーブル２４４を配設する構成としたが、例えば台座部２０１から突出する例えばピン部材にワイヤケーブル２４４を引っ掛けるなどして略環状となるように配設する構成としてもよい。この場合、上記実施の形態と比べて、ワイヤケーブル２４４とピン部材との間で摩擦が発生するため、光ピックアップ２２０の移動に伴うワイヤケーブル２４４の送り易さが低下するが、構成をより簡単にでき、装置の小型化や製造性の向上を図ることができる。
【００５１】
さらに、ワイヤケーブル２４４として、金属製の線状部材であるワイヤに限らず、例えば樹脂製のベルトであってもよい。
【００５２】
また、上記実施の形態では、４つのプーリの外周にワイヤケーブル２４４を沿わす構成としたが、これに限られず、例えば図４に示すような構成としてもよい。図４は、他の実施の形態におけるディスク処理機構の一部を示す平面図である。
図４において、ディスク処理機構２００は、光ディスクＤをターンテーブル２１１に保持した状態で、光ディスクＤの外周端Ｄ１よりも内径側にガイドシャフト２３１と略平行するカウンターシャフト２４１Ａが設けられている。また、このガイドシャフト２３１Ａに移動可能に保持されるカウンターウェイト２４２Ｂも光ディスクＤの外周端Ｄ１よりも内径側に位置するように配置されている。そして、ワイヤ保持部２４３は、ガイドシャフト２３１およびカウンターシャフト２４１Ａの両端側に、直径寸法がこれらガイドシャフト２３１およびカウンターシャフト２４１Ａの間隔寸法と略同一となる連結部を構成する回転体としての第五プーリ２４３Ｅおよび第六プーリ２４３Ｆを備えている。そして、ワイヤケーブル２４４は、両端側の固定具２４４Ａがそれぞれ光ピックアップ２２０の保持部２２１に固定され、上記第五および第六プーリ２４３Ｅ，２４３Ｆの外周縁に沿って略環状に配設される。
このような構成では、ワイヤ保持部２４３を構成するプーリの数が上記実施の形態よりも少なくでき、部品点数を削減して構成を簡単にすることができる。また、カウンターシャフト２４１Ａおよび錘部としてのカウンターウェイト２４２Ｂが光ディスクＤの外周縁端部Ｄ１から外径側に突出しないため、ディスク処理機構２００の小型化を促進できる。特に、ディスクカメラレコーダ１など、ディスク処理機構を備えた携帯型電気機器では、ディスク処理機構２００の小型化により、装置全体の小型化を図ることができ、携帯利便性を向上させることができる。
【００５３】
また、図５に示すように、カウンターウェイト２４２Ｃをガイドシャフト２３１に移動可能に保持させる構成などとしてもよい。このような構成では、カウンターシャフト２４１が不要となるため、部品点数をさらに削減することができ、ディスク処理機構２００の構成をより簡単にすることができる。
【００５４】
さらに、カウンター部２４０の連結部としてワイヤ保持部２４３およびワイヤケーブル２４４を用いた構成を示したが、例えば図６および図７のような構成としてもよい。
図６において、ディスク処理機構２００Ａは、台座部２０１と、台座部２０１に設けられる回転駆動手段２１０と、光ピックアップ２２０Ａと、移動手段２３０と、カウンター部２５０とを備えている。台座部２０１、回転駆動手段２１０、および移動手段２３０の構成は、上記実施の形態と同様であるため、ここでは省略する。
【００５５】
ディスク処理機構２００Ａの光ピックアップ２２０Ａは、上記実施の形態と同様に、一対のガイドシャフト２３１間に架橋する状態で保持される保持部２２１を備えている。
この保持部２２１には、移動手段２３０のリードスクリュ２３２Ａの係合溝２３２Ｂに係合する移動規制爪部が設けられている。そして、光ピックアップ２２０は、保持部２２１に配設された、図示しない光源と、この光源からの光を光ディスクＤに照射させる対物レンズ２２２Ａを有する図示しない複数の光学素子と、光ディスクＤから反射された光を検出する図示しない光センサなどを有している。
また、保持部２２１には、錘部としてのカウンターウェイト２５２と対向する面に、光ピックアップ２２０Ａの移動方向に沿って、ピックアップ側ラック２２３が設けられている。
【００５６】
カウンター部２５０は、カウンターシャフト２４１と、カウンターウェイト２５２と、ピニオン２５４と、などを備えている。
カウンターウェイト２５２は、上記実施の形態と同様に、カウンターシャフト２４１に移動可能に設けられている。また、カウンターウェイト２５２は、光ピックアップ２２０Ａと対向する面にカウンター側ラック２５２Ａが、カウンターウェイト２５２の移動方向に沿って設けられている。
ピニオン２５４は、光ピックアップ２２０Ａおよびカウンターウェイト２５２の間で、台座部２０１に回転可能の軸支されており、光ピックアップ２２０Ａのピックアップ側ラック２２３およびカウンターウェイト２５２のカウンター側ラック２５２Ａの双方に噛合されている。
【００５７】
このディスク処理機構２００Ａでは、光ピックアップ２２０Ａが移動手段２３０により所定方向に移動されると、その駆動力がピニオン２５４によりカウンターウェイト２５２に伝達され、カウンターウェイト２５２が光ピックアップ２２０Ａの移動方向と反対方向に移動する。
このような構成では、ディスクカメラレコーダ１に衝撃が加わると、光ピックアップ２２０Ａおよびカウンターウェイト２５２にそれぞれ同一方向に同一強さの応力が作用する。このため、ピニオン２５４は、光ピックアップ２２０Ａおよびカウンターウェイト２５２からそれぞれ同一強さで回転方向が異なる回転駆動力が伝達され、回転がロックされる。したがって、光ピックアップ２２０Ａは、衝撃による応力により移動されず、位置ずれを防止することができ、安定した情報処理動作を実施することができる。
【００５８】
また、図７に示すディスク処理機構２００Ｂは、一対の台座部２０１と、一対の台座部２０１の一方側に設けられる回転駆動手段２１０と、光ピックアップ２２０Ｂと、移動手段２３０と、カウンター部２６０とを備えている。台座部２０１、回転駆動手段２１０、および移動手段２３０の構成は、上記実施の形態と同様であるため、ここでは省略する。
【００５９】
ディスク処理機構２００Ｂの光ピックアップ２２０Ｂは、上記実施の形態と同様に、一対のガイドシャフト２３１間に架橋する状態で保持される保持部２２１を備えている。
この保持部２２１には、移動手段２３０のリードスクリュ２３２Ａの係合溝２３２Ｂに係合する移動規制爪部が設けられている。そして、光ピックアップ２２０Ｂは、保持部２２１に配設された、図示しない光源と、この光源からの光を光ディスクＤに照射させる対物レンズ２２２Ａを有する図示しない複数の光学素子と、光ディスクＤから反射された光を検出する図示しない光センサなどを有している。
また、保持部２２１には、例えばターンテーブル２１１の光ディスクＤの保持面に向かって突出するピックアップ側ピン２２４が設けられている。
【００６０】
カウンター部２６０は、カウンターシャフト２４１と、錘部としてのカウンターウェイト２６２と、梃子部材２６４と、などを備えている。
カウンターウェイト２６２は、上記実施の形態と同様に、カウンターシャフト２４１に移動可能に設けられている。また、カウンターウェイト２６２は、光ディスクＤの保持面に向かって突出するカウンター側ピン２６２Ａが設けられている。
梃子部材２６４は、光ピックアップ２２０Ｂおよびカウンターウェイト２６２の間で、台座部２０１に回動可能に軸支される長手棒状部材であり、両端側にそれぞれ長手方向に沿って係合溝２６４Ａ、２６４Ｂが形成されている。そして、梃子部材２６４の一方端の係合溝２６４Ａには、光ピックアップ２２０Ｂのピックアップ側ピン２２４が係合され、梃子部材２６４の他方端の係合溝２６４Ｂには、カウンターウェイト２６２のカウンター側ピン２６２Ａが係合されている。
【００６１】
このディスク処理機構２００Ｂでは、光ピックアップ２２０Ｂが移動手段２３０により所定方向に移動されると、梃子部材２６４が回動軸を中心に回動し、カウンターウェイト２６２が光ピックアップ２２０Ｂの移動方向と反対方向に移動する。
このような構成では、ディスクカメラレコーダ１に衝撃が加わると、光ピックアップ２２０Ｂおよびカウンターウェイト２６２にそれぞれ同一方向に同一強さの応力が作用する。このため、梃子部材２６４は、光ピックアップ２２０Ｂおよびカウンターウェイト２６２からそれぞれ同一強さで回動方向が異なる回転力が作用し、回動がロックされる。したがって、光ピックアップ２２０Ｂは、衝撃による応力により移動されず、位置ずれを防止することができ、安定した情報処理動作を実施することができる。
【００６２】
また、上記実施の形態では、駆動手段としてステッピングモータ２３２を例示したが、例えば所定電圧を印加することで回転駆動するＤＣモータなどを用いてもよい。
【００６３】
その他、本発明の実施の際の具体的な構造および手順は、本発明の目的を達成できる範囲で他の構造などに適宜変更できる。
【００６４】
〔実施の形態の効果〕
上述したように、上記第一の実施の形態のディスクカメラレコーダ１では、光ディスクＤに所定の情報処理動作を実施する光ピックアップ２２０と、光ピックアップ２２０の移動方向と同一方向に移動可能に設けられるカウンターウェイト２４２と、を備え、カウンター部２４０にて、カウンターウェイト２４２を光ピックアップ２２０の移動に連動させて、光ピックアップ２２０の移動方向と逆方向に移動させている。
このため、ディスクカメラレコーダ１に衝撃が加わった場合、カウンター部２４０には、光ピックアップ２２０およびカウンターウェイト２４２に加えられる衝撃による応力に抗する力が作用し、光ピックアップ２２０およびカウンターウェイト２４２の移動を規制できる。したがって、ステッピングモータ２３２の制御やソフトウェアでの制御などを用いる必要がなく、簡単な構成で光ピックアップ２２０の位置ずれを防止することができ、光ピックアップ２２０による光ディスクＤの情報処理動作を安定して実施させることができる。
【図面の簡単な説明】
【００６５】
【図１】本発明の一実施の形態に係るディスクカメラレコーダの概略を示す斜視図である。
【図２】前記第一の実施の形態におけるディスク処理部の内部構成の一部を示す平面図である。
【図３】前記第一の実施の形態のディスク処理機構に作用する衝撃およびワイヤケーブルの張力を模式的に示す図である。
【図４】他の実施の形態におけるディスク処理部の内部構成の一部を示す平面図である。
【図５】さらに他の実施の形態におけるディスク処理部の内部構成の一部を示す平面図である。
【図６】さらに他の実施の形態におけるディスク処理部の内部構成の一部を示す平面図である。
【図７】さらに他の実施の形態におけるディスク処理部の内部構成の一部を示す平面図である。
【符号の説明】
【００６６】
Ｄ      …記録媒体としての光ディスク
１      …撮像装置としてのディスクカメラレコーダ
１２    …撮影レンズ
２０    …記録媒体駆動装置としてのディスク処理部
２１１  …保持手段としてのターンテーブル
２２０  …情報処理部としての光ピックアップ
２２３  …ピックアップ側ラック
２３１  …軸部材としてのガイドシャフト
２３２  …駆動手段としてのステッピングモータ
２４１  …軸部材としてのカウンターシャフト
２４２，２４２Ｂ，２４２Ｃ，２５２，２６２  …錘部としてのカウンターウェイト
２４４  …連結部を構成するワイヤとしてのワイヤケーブル
２４３Ａ…連結部を構成する回転体としての第一プーリ
２４３Ｂ…連結部を構成する回転体としての第二プーリ
２４３Ｃ…連結部を構成する回転体としての第三プーリ
２４３Ｄ…連結部を構成する回転体としての第四プーリ
２４３Ｅ…連結部を構成する回転体としての第五プーリ
２４３Ｆ…連結部を構成する回転体としての第六プーリ
２５２Ａ…カウンター側ラック
２５４  …ピニオン
２６４  …梃子部材
【図１】
2008165893.tif 000003
【図２】
2008165893.tif 000004
【図３】
2008165893.tif 000005
【図４】
2008165893.tif 000006
【図５】
2008165893.tif 000007
【図６】
2008165893.tif 000008
【図７】
2008165893.tif 000009